(57)【要約】【課題】  ＡＦ精度を保ったまま高速にＡＦを行えるようにすること。【解決手段】  フォーカスレンズを予め決められた範囲で駆動しながら、異なるフォーカスレンズの位置で複数回の撮像を行って得られた画像信号のコントラストを示す焦点評価値が最大となる前記フォーカスレンズの合焦位置を求めて、焦点調節制御を行う撮像装置であって、前記焦点評価値を取得するための第１の領域と、前記第１の領域を含み、前記第１の領域よりも広い第２の領域とを少なくとも含む複数の異なる領域それぞれから、画像信号を並行して出力できる撮像素子（１０７）と、前記第２の領域から得られた画像信号を表示する画像表示部（１１７）と、前記第１の領域から得られた画像信号に基づいて、合焦位置を求める焦点検出手段（１１３）とを有する。【選択図】  図８
2015064500.tif 000002
【特許請求の範囲】
【請求項１】
フォーカスレンズを予め決められた範囲で駆動しながら、異なるフォーカスレンズの位置で複数回の撮像を行って得られた画像信号のコントラストを示す焦点評価値が最大となる前記フォーカスレンズの合焦位置を求めて、焦点調節制御を行う撮像装置であって、
前記焦点評価値を取得するための第１の領域と、前記第１の領域を含み、前記第１の領域よりも広い第２の領域とを少なくとも含む複数の異なる領域それぞれから、画像信号を並行して出力できる構成を有する撮像手段と、
前記第２の領域から得られた画像信号を表示する表示手段と、
前記第１の領域から得られた画像信号に基づいて、合焦位置を求める焦点検出手段と
を有することを特徴とする撮像装置。
【請求項２】
前記第２の領域から、加算及び間引きの少なくともいずれか一方を行って画像信号を読み出し、前記第１の領域から、加算及び間引きを行わずに画像信号を読み出すことを特徴とする請求項１に記載の撮像装置。
【請求項３】
前記焦点検出手段は、更に、前記第２の領域から得られた画像信号に基づいて合焦位置を求め、該得られた合焦位置と、前記第１の領域から得られた画像信号に基づいて求めた前記合焦位置との差を示す差分データを取得し、該差分データを撮影条件と対応づけて記憶手段に記憶することを特徴とする請求項１または２に記載の撮像装置。
【請求項４】
前記焦点検出手段は、同じ撮影条件で得られた差分データが前記記憶手段に記憶されているかどうかを調べ、前記同じ撮影条件で得られた差分データが記憶されている場合に、前記第１の領域からの画像信号の読み出しを行わず、前記第２の領域から間引き読み出しにより得られた画像信号に基づいて求めた合焦位置を、前記同じ撮影条件で得られた差分データにより補正することを特徴とする請求項３に記載の撮像装置。
【請求項５】
前記撮影条件で得られた差分データが記憶されている場合に、前記撮像手段は、前記撮影条件で得られた差分データが記憶されていない場合よりも高速で前記第１の領域から前記画像信号を出力することを特徴とする請求項４に記載の撮像装置。
【請求項６】
前記撮像手段は、前記複数の異なる領域に対して、それぞれ露出条件を異ならせた画像信号を出力できることを特徴とする請求項１乃至４のいずれか１項に記載の撮像装置。
【請求項７】
フォーカスレンズを予め決められた範囲で駆動しながら、異なるフォーカスレンズの位置で複数回の撮像を行って得られた画像信号のコントラストを示す焦点評価値が最大となる前記フォーカスレンズの合焦位置を求めて、焦点調節制御を行う撮像装置の制御方法であって、
撮像手段が、前記焦点評価値を取得するための第１の領域と、前記第１の領域を含み、前記第１の領域よりも広い第２の領域とを少なくとも含む複数の異なる領域それぞれから、画像信号を並行して出力する撮像工程と、
表示手段が、前記第２の領域から得られた画像信号を表示する表示工程と、
焦点検出手段が、前記第１の領域から得られた画像信号に基づいて、合焦位置を求める焦点検出工程と
を有することを特徴とする撮像装置の制御方法。
【発明の詳細な説明】
【技術分野】
【０００１】
本発明は、撮像装置及びその制御方法に関し、更に詳しくは、自動的に合焦動作を行う撮像装置及びその制御方法に関する。
【背景技術】
【０００２】
従来より、電子スチルカメラなどにおいて、フォーカスレンズ位置を動かして被写体に焦点を合わせる方法として、ＣＣＤやＣＭＯＳセンサなどの撮像素子から得られる画像信号を用いて自動的に合焦動作を行うオートフォーカス（ＡＦ）方式が用いられている。このＡＦ方式において、撮像素子から得られる全画素の信号を用いて焦点評価値を生成すると読み出しに時間がかかってしまう。そこで、画像領域の所定の方向に所定の画素数及び画素間隔で加算して間引いた画像信号（以下、「間引き加算信号」と呼ぶ。）を用いることで読み出し時間を短縮し、ＡＦを高速化させる技術がある。しかし、画像信号を加算して間引くことが被写体の周波数特性に影響を与え、図１０に示すように全画素の信号を用いて算出した焦点評価値のピーク位置と、間引き加算信号を用いて算出した焦点評価値のピーク位置が異なってしまう。これにより撮影画像が全画素の信号の場合、間引き加算信号を用いて算出した焦点評価値を用いてＡＦを行っても、撮影画像にピントを合わせることができない。そこで、別の方法として、画像加算や間引きはしないが画像領域の一部の領域のみを読み出すことで、読み出し時間を短縮する方法が考えられる。しかし、一部の領域しか読み出していないためライブ表示用の画像としては使用できない。
【０００３】
これまでに、２つの撮像素子を備え、２つの撮像素子からの画像データを交互に出力し、一方を動画の撮像制御、他方をＡＦ制御に用い、ＡＦ制御ではＡＦに適した露出制御や画素加算などにより高速駆動させるものがある（例えば、特許文献１参照）。
【先行技術文献】
【特許文献】
【０００４】
【特許文献１】特開２００７−０９７０３３号公報
【発明の概要】
【発明が解決しようとする課題】
【０００５】
しかしながら、特許文献１の方法では、撮像素子が２つ必要であるため装置が大きくなりコストも高くなってしまう。また、画像データを交互に出力する方法では、全画素の信号の読み出し時間が長いため時間がかかってしまう。さらに、画像データを交互に出力する方法では２つの画像データを同時に使用することができない。
【０００６】
本発明は上記問題点を鑑みてなされたものであり、ＡＦ精度を保ったまま高速にＡＦを行えるようにすることを目的とする。
【課題を解決するための手段】
【０００７】
上記目的を達成するために、フォーカスレンズを予め決められた範囲で駆動しながら、異なるフォーカスレンズの位置で複数回の撮像を行って得られた画像信号のコントラストを示す焦点評価値が最大となる前記フォーカスレンズの合焦位置を求めて、焦点調節制御を行う本発明の撮像装置は、前記焦点評価値を取得するための第１の領域と、前記第１の領域を含み、前記第１の領域よりも広い第２の領域とを少なくとも含む複数の異なる領域それぞれから、画像信号を並行して出力できる構成を有する撮像手段と、前記第２の領域から得られた画像信号を表示する表示手段と、前記第１の領域から得られた画像信号に基づいて、合焦位置を求める焦点検出手段とを有する。
【発明の効果】
【０００８】
本発明によれば、ＡＦ精度を保ったまま高速にＡＦを行うことができる。
【図面の簡単な説明】
【０００９】
【図１】本発明の実施形態における撮像装置の構成を示すブロック図。
【図２】実施形態に係る撮像装置に含まれる画素の構成を示す図。
【図３】画像を取得する際に垂直走査回路から出力される信号を示したタイミングチャート。
【図４】電荷蓄積時間と画像の読み出しタイミングを示す図。
【図５】実施形態における撮影処理の全体の流れを示すフローチャート。
【図６】実施形態におけるＡＦ動作を説明するフローチャート。
【図７】実施形態における焦点検出領域の設定処理のフローチャート。
【図８】実施形態における図６における読み出し方式の決定を説明するフローチャート。
【図９】複数の読み出し方式において読み出す領域を説明する図。
【図１０】全画素の信号を用いて算出した焦点評価値のピーク位置と、間引き加算信号を用いて算出した焦点評価値のピーク位置の差を説明する図。
【発明を実施するための形態】
【００１０】
以下、添付図面を参照して本発明を実施するための最良の形態を詳細に説明する。図１は本発明の実施形態における撮像装置である電子カメラの構成を示すブロック図である。図１において、ズーム機構を含む撮影レンズ１０１及び光量を制御する絞り・シャッタ１０２を介して入射した被写体からの反射光は、フォーカスレンズ１０４により撮像素子１０７上に結像される。撮像素子１０７は結像された光を受光して電気信号に変換し、Ａ／Ｄ変換部１０８に出力する。Ａ／Ｄ変換部１０８は撮像素子１０７から出力された電気信号からの出力ノイズを除去するＣＤＳ回路や、Ａ／Ｄ変換前に行う非線形増幅回路、Ａ／Ｄ変換を行うＡ／Ｄ変換回路を含み、デジタル信号に変換した画像信号を画像処理部１０９に出力する。
【００１１】
画像処理部１０９において、Ａ／Ｄ変換部１０８から出力された画像信号にガンマ変換等の所定の画像処理が施され、フォーマット変換部１１０において、記録や表示に適したフォーマットに変換され、内蔵メモリ１１１に記憶される。内蔵メモリ１１１は、例えばランダムアクセスメモリなどの高速なメモリであり、以下「ＤＲＡＭ」と記す。ＤＲＡＭ１１１は一時的な画像記憶手段としての高速バッファとして、あるいは画像の圧縮伸張における作業用メモリとして使用される。画像記録部１１２はメモリカードなどの記録媒体とそのインターフェースからなり、ＤＲＡＭ１１１を介して画像等が記録される。画像表示部１１７は、画像表示の他、操作補助のための表示やカメラ状態の表示、撮影時には撮影画面と焦点検出領域の表示を行い、画像表示用メモリ１１６（以下「ＶＲＡＭ」と記す。）を介して表示が行われる。
【００１２】
操作部１１８はカメラを外部から操作するためのもので、例えば次のようなスイッチ等が含まれる。即ち、撮像装置の撮影機能や画像再生時の設定、各撮影モードの詳細設定などの各種設定を行うメニュースイッチ、撮影レンズ１０１のズーム動作を指示するズームレバー、撮影モードと再生モードの動作モード切換えスイッチなどである。撮影モードスイッチ１１９は、マクロモード、遠景モードなどの撮影モードを選択するためのもので、本実施形態では、ユーザーが選択した撮影モードに応じて焦点検出領域や測距距離範囲、ＡＦ動作などが変更される。カメラは、更に、システムに電源を投入するためのメインスイッチ１２０、ＡＦやＡＥ等の撮影準備動作を行うためのスイッチ１２１（以下「ＳＷ１」と記す。）、ＳＷ１の操作後、撮影を行うための撮影スイッチ１２２（以下「ＳＷ２」と記す。）を有する。
【００１３】
また、システム制御部１１３は撮影シーケンスなどシステム全体を制御する。ＡＥ処理部１０３は、画像処理部１０９から出力された画像処理済みの画像信号に対して測光処理を行い、露出制御のためのＡＥ評価値を求め、シャッタ速度、絞り、感度を制御することにより露出を制御する。なお、撮像素子１０７が電子シャッタ機能を有する場合には、撮像素子１０７のリセット及び読み出しタイミングも制御する。ＡＦ処理部１０６は、後述する焦点調節制御（ＡＦ処理）に応じてモータ１０５を駆動することで、フォーカスレンズ１０４を駆動する。
【００１４】
タイミングジェネレータ（ＴＧ）１１４からは、所定のタイミング信号がＣＰＵ１１３及びセンサドライバー１１５へ出力されており、ＣＰＵ１１３はこのタイミング信号に同期させて各種の制御を行う。また、センサドライバー１１５はＴＧ１１４のタイミング信号を受け、これに同期して撮像素子１０７を駆動する。
【００１５】
次に、図１の撮像素子１０７に含まれる画素の構成について、図２を参照して説明する。なお、図２では垂直方向に並べられた４画素を表しているが、実際には、撮像素子１０７は２次元に配列された非常に多数の画素を含む。
【００１６】
２０１はレンズ鏡筒３１からの光を受光する画素であり、表面に入射した光を光電変換して電気信号として出力する。画素２０１は、フォトダイオード２０２、転送トランジスタ２０３、増幅アンプ２０４、リセット用トランジスタ２０５を含む。転送トランジスタ２０３及びリセット用トランジスタ２０５は、垂直走査回路２０６からの信号によって動作する。垂直走査回路２０６にはシフトレジスタや、転送トランジスタ２０３等の各画素を駆動させるための駆動信号を生成する信号生成回路等が含まれる。そして、生成した駆動信号（TX1〜4、RS1〜4等）により、転送トランジスタ２０３及びリセット用トランジスタ２０５を制御することによって、フォトダイオード２０２の電荷をリセットしたり、読み出したりして電荷蓄積時間を制御することができる。
【００１７】
また、２０９は水平走査回路であり、シフトレジスタ、列アンプ回路２１０、信号出力選択スイッチ２１１及び外部への出力回路（不図示）等が含まれる。列アンプ回路２１０の設定を、センサドライバー１１５からの信号によって変化させることによって、画素から読み出された信号を増幅することができる。
【００１８】
次に、画像を取得する際に、図２に示す構成の画素を有する撮像素子１０７の一般的な制御について、図３及び図４を参照して説明する。図３は画像を取得する際の垂直走査回路２０６から生成される信号を示したタイミングチャートである。
【００１９】
各行のTX信号（TX1〜4）及びRS信号（RS1〜4）が共に立ち上がることによって、各画素のフォトダイオード２０２の電荷がリセットされ、TX信号及びRS信号が共に立ち下がった時から電荷蓄積が開始される。この動作は、ＴＧ１１４によって設定された条件で、所定の順番で順次行われる。その後、所定の電荷蓄積時間の経過後に、TX信号が再度立ち上がり、フォトダイオード２０２の電荷を増幅アンプ２０４のゲートに読み出す。そして、増幅アンプ２０４からの信号から画像信号を生成し、水平走査回路２０９を通して出力される。この動作も、ＴＧ１１４によって設定された条件で行われる。
【００２０】
本実施形態において、撮像装置１に搭載されている撮像素子１０７はＣＭＯＳ型の撮像素子である。そのため、垂直走査回路２０６のシフトレジスタの設定によって、どの行の転送トランジスタ２０３をどのような順序で駆動させるかを選択することができ、更に、同一行を繰り返し選択して信号を読み出すこともできる。また、水平走査回路２０９のシフトレジスタの設定によって、どの列の選択スイッチ２１１を動作させるかによって、同一行の信号において、どの列の信号から出力するかを選択することができる。これによって、画面内のどの画素からどのような順番で読みだすかを指定することができる。
【００２１】
図４は、電荷蓄積時間と、蓄積された電荷が画像として読み出されるタイミングを示す。ＴＧ１１４及びセンサドライバー１１５が生成する垂直同期信号によって、露光及び信号読み出しが行われる。
【００２２】
次に、本発明の実施形態における動作について図５〜図９を用いて詳細に説明する。図５は、撮影処理の全体の流れを示すフローチャートである。まず、Ｓ５０１において、ＡＥ処理部１０３が画像処理部１０９の出力からＡＥ処理を行ってＳ５０２へと進む。Ｓ５０２ではＳＷ１の状態を調べ、ＯＮであればＳ５０３へ進み、そうでなければＳ５０１へ戻る。Ｓ５０３では後述するＡＦ動作を行った後、Ｓ５０４へ進む。Ｓ５０４では、ＳＷ１の状態を調べ、ＯＮであればＳ５０５へ進み、そうでなければＳ５０１へ戻る。Ｓ５０５ではＳＷ２の状態を調べ、ＯＮであればＳ５０６へ進み、そうでなければＳ５０４へ戻る。Ｓ５０６では撮影動作を行った後、Ｓ５０１へ戻る。
【００２３】
図６は、図５のＳ５０３で行われるＡＦ動作を説明するフローチャートである。まず、Ｓ６０１において焦点検出領域の設定を行う。ここで、図７のフローチャートを参照して、Ｓ６０１で行われる焦点検出領域の設定処理について説明する。Ｓ７０１では、焦点検出領域の設定が１枠設定となっているかどうかを調べ、１枠設定であればＳ７０２へ進み、１枠設定でなければＳ７０３へ進む。Ｓ７０２では、図９（ｂ）に示すように所定領域に１枠の焦点検出領域９０１（第１の領域）を設定して本フローを終了してＳ６０２へ進む。Ｓ７０３では、図９（ｃ）に示すように所定領域に複数の焦点検出領域９０２（第１の領域）を設定して、図６のＳ６０２へ進む。
【００２４】
Ｓ６０２では、読み出し方式を決定する。ここで、Ｓ６０２で行われる読み出し方式の決定手順について、図８のフローチャートを参照して説明する。まず、Ｓ８０１では、図９（ａ）に示すように全画像領域（第２の領域）を対象にして水平方向に加算及び／または間引きして高速で読み出した時のフレームレートFastRate(例えば180fps)を取得してＳ８０２へ進む。ここで、この読み出しの設定を「FastAF」と定義する。
【００２５】
Ｓ８０２では、全画像領域を対象にして水平方向に加算及び／または間引きして低消費で読み出した時のフレームレートAllAreaLowRate(例えば30fps)を取得してＳ８０３へ進む。ここで、この読み出しの設定を「AllAreaLowAF」と定義する。ここで、加算及び／または間引きの仕方は、前述したFastAF設定での読み出しにおける加算及び／または間引きの仕方と同じとする。また、フレームレートを遅くすることで、FastAF設定時よりも低消費となる。
【００２６】
Ｓ８０３では、図９（ｂ）に示すように焦点検出領域９０１内の全画素を高速で読出した時のフレームレートSingleFrameRate（例えば180fps）を取得してＳ８０４へ進む。ここで、この読み出しの設定を「SingleFrameAF」と定義する。また、この読み出し方式では、全画素を読み出すことで読み出し時間がかかるが、焦点検出領域９０１内のみに限定することでフレームレートを高くすることができる。
【００２７】
Ｓ８０４では、図９（ｃ）に示すように焦点検出領域９０２内の全画素を高速で読み出した時のフレームレートMultiFrameRate（例えば120fps）を取得してＳ８０５へ進む。ここで、この読み出しの設定を「MultiFrameAF」と定義する。また、SingleFrameRateよりもフレームレートは低くはなるが、読み出す領域を焦点検出領域９０２内に限定することで、全画素を読み出しをしても、全画像領域を対象に全画素を読み出した場合よりもフレームレートを高くすることができる。
【００２８】
Ｓ８０５では、現在のズームポジションに対応した差分データが記憶されているかどうかを調べ、差分データが記憶されていればＳ８０６へ進み、差分データが記憶されていなければＳ８０７へ進む。なお、差分データとは読み出し方式の違いによる焦点評価値ピークの差分のデータであり、後述するＳ６１５で算出され、記憶される。Ｓ８０６では、設定（１）をFastAFに設定し、設定（２）は使用しないように設定なしとして本フローを終了し、Ｓ６０３へ進む。
【００２９】
Ｓ８０７では、焦点検出領域の設定が１枠設定となっているかどうかを調べ、１枠設定であればＳ８０８へ進み、１枠設定でなければＳ８０９へ進む。Ｓ８０８では、設定（１）をAllAreaLowAFに設定し、設定（２）は、SingleFrameAFに設定して本フローを終了してＳ６０３へ進む。Ｓ８０９では、設定（１）をAllAreaLowAFに設定し、設定（２）をMultiFrameAFに設定して本フローを終了してＳ６０３へ進む。
【００３０】
Ｓ６０３では、撮影モードや焦点距離に応じたフォーカスレンズのスキャン範囲を設定して、Ｓ６０４へ進む。Ｓ６０４では、ＡＦスキャンの開始位置へフォーカスレンズを駆動する、初期フォーカス駆動を行ってＳ６０５へ進む。Ｓ６０５では、Ｓ６０２で決定した読み出し方式のフレームレートに基づいて算出した駆動速度で所定方向にフォーカスレンズの駆動を開始してＳ６０６へ進む。ここでは、所定方向を、Ｓ６０４における初期フォーカス駆動時のフォーカスレンズの駆動方向と反対方向に設定する。また、Ｓ６０２において２つの読み出し方式が設定されていれば設定（２）の読み出し方式のフレームレートに基づいて、また、１つの読み出し方式しか設定されていなければ設定（１）の読み出し方式のフレームレートに基づいて、駆動速度の算出を行う。
【００３１】
Ｓ６０６では、Ｓ６０２で決定した１つの読み出し方式で、または、２つの読み出し方式の場合は２つの読み出し方式で並行して、画像信号を読み出す。２つの読み出し方式で画像信号を読み出す場合、設定（１）で読み出した画像信号はライブ表示に用い、撮影時には、ＥＶＦの見栄えを考慮するなど、ライブ表示に適した露出条件で読み出しを行う。また、設定（２）で読み出した画像信号はＡＦ制御に用い、撮影時には、ＡＦ精度やＡＦ時間を考慮するなど、ＡＦ制御に適した露出設定で読み出しを行う。Ｓ６０７では、Ｓ６０６で読み出した画像信号を用いてライブ画像表示を行う。ここで、Ｓ６０２で２つの読み出し方式が設定されていれば設定（１）で読み出した画像信号を表示し、１つの読み出し方式しか設定されていない場合は、設定（１）で読み出した画像信号を表示する。
【００３２】
Ｓ６０８では、Ｓ６０２で決定した読み出し方式で読み出した画像信号においてＳ６０１で設定した焦点検出領域内の焦点評価値を取得してＳ６０９へ進む。ここで、Ｓ６０２で２つの読み出し方式が設定されていれば、２つの読み出し方式で読み出したそれぞれの画像信号を用いて焦点評価値を算出し、１つの読み出し方式しか設定されていなければ、その読み出し方式で読み出した画像信を用いて焦点評価値を算出する。焦点評価値の算出においては、読み出したそれぞれの画像信号に対してバンドパスフィルタ（ＢＰＦ）処理を行って高周波成分を抽出し、更に、累積加算等の演算処理を行って、高域側の輪郭成分量（コントラスト）等に対応する焦点評価値を算出する。焦点評価値は、それぞれの読み出し方式のフレームレートで並行して取得するようにする。Ｓ６０９では、現在のフォーカスレンズ１０４の位置を取得してＳ６１０へ進む。Ｓ６１０では、取得した現在のフォーカスレンズ１０４の位置がＳ６０３で設定したスキャン範囲内にあるかどうかを調べ、スキャン範囲内にあればＳ６０６へ戻って、上記処理を繰り返す。これにより、複数回の撮像が行われて、異なるフォーカスレンズ位置で複数の画像信号を得ることができる。一方、スキャン範囲内になければＳ６１１へ進む。
【００３３】
ここで、Ｓ６０６〜Ｓ６１０の一連の動作は、設定（１）で読み出したフレームから算出した焦点評価値（以下、「焦点評価値（１）」と呼ぶ。）と設定（２）で読み出した焦点評価値（以下、「焦点評価値（２）」と呼ぶ。）のそれぞれにおいて、フレームレートの１フレーム分の時間で並行して行われるようにする。
【００３４】
また、Ｓ６０８で取得した焦点評価値とＳ６０９で取得したレンズ位置とを対応付けりが、焦点評価値を取得中にフォーカスレンズ１０４は駆動しているため、露光時間の中心のタイミングでのフォーカスレンズ位置を算出して焦点評価値と対応付ける。
【００３５】
Ｓ６１１では、フォーカスレンズ１０４の駆動を停止してＳ６１２へ進む。Ｓ６１２では、Ｓ６０８で取得した焦点評価値と、Ｓ６０９で取得した、それに対応するフォーカスレンズ１０４の位置を用いて、焦点評価値が最大となるピーク位置（合焦位置）を算出する。ここで、ピーク位置を算出する焦点評価値は、焦点評価値（１）と焦点評価値（２）の両方においてそれぞれ算出する。
【００３６】
Ｓ６１３では、現在のズームポジションに対応した差分データが有るかどうかを調べ、差分データが有ればＳ６１４へ進み、差分データが無ければＳ６１５へ進む。Ｓ６１４では、Ｓ６１２で算出した焦点評価値のピーク位置に対して差分データを用いてピーク位置を補正してＳ６１６へ進む。
【００３７】
Ｓ６１５では、焦点評価値（１）と焦点評価値（２）それぞれで算出したピーク位置の差分を算出し、現在のズームポジションに対応付けて記憶しておく。本実施形態では、ズームポジションと対応付けているが、フォーカスレンズ位置や輝度条件など、他の撮影条件と対応付けてもよい。
【００３８】
次のＳ６１６では合焦判定を行ってＳ６１７へ進み、Ｓ６１２で求めた焦点評価値（２）のピーク位置、またはＳ６１４で補正したピーク位置へフォーカスレンズ１０４を駆動して、ＡＦ動作を終了する。
【００３９】
このように、全画像領域の信号を用いて生成した焦点評価値と、一部の領域のみの信号を用いて生成した焦点評価値を同時に出力してＡＦ制御を行うことで、ＡＦ精度を保ったまま高速にＡＦを行うことができる。
【００４０】
また、全画像領域の加算及び／または間引き信号を用いて生成した焦点評価値（１）のピーク位置と、一部の領域の全画素読み出し信号を用いて生成した焦点評価値（２）のピーク位置の差分を記憶しておく。そして、次に同条件で撮影を行う場合に、加算及び／または間引きした画像から算出した焦点評価値のピーク位置を記憶した差分データで補正する。このようにすることで、２つの読み出しを並行して行わずに済むため、高速ＡＦと高精度ＡＦを両立して、さらに低消費を実現することができる。
【００４１】
なお、上述した実施形態では、設定（１）と設定（２）の２系統を用いているが、さらに別な読み出し方を追加して、３系統以上の焦点評価値を並行して読み出して使用してもよい。
【００４２】
また、上述した実施形態では、撮像素子の有効画素領域のうち、部分的な焦点検出領域と、全領域とから画像信号を読み出す場合について説明した。しかしながら、全領域では無く、必要な大きさの領域から画像信号を読み出すようにしてもよい。例えば電子ズームが行われている場合に、切り出される一部領域から画像信号を読み出すようにしてもよい。
【図１】
2015064500.tif 000003
【図２】
2015064500.tif 000004
【図３】
2015064500.tif 000005
【図４】
2015064500.tif 000006
【図５】
2015064500.tif 000007
【図６】
2015064500.tif 000008
【図７】
2015064500.tif 000009
【図８】
2015064500.tif 000010
【図９】
2015064500.tif 000011
【図１０】
2015064500.tif 000012